(57)【要約】      （修正有）【課題】構造が簡単で回転慣性が大きく、電流量が増大され、鉄損と機械損とがない発電機構造を提供する。【解決手段】中央に心軸１１が貫設され、また、多数のコイル１２が設置される固定子１と、固定子の外部に対応して設置され、心軸と可動的に結合され、その周縁に固定子側縁に対応して囲むように磁力遮断板２４が設置されるケーシング２と、コイルに対応するように、ケーシング内面の両側に設置される多数の磁性体３と、固定子の各コイルと電気的に接続される負荷ユニット４と、が含有される。これにより、稼動する時、ケーシングによって各磁性体が連動され、ケーシングにおいて、比較的に大きい回転慣性を発生し、そのため、各磁性体３と固定子のコイル１２との間において、比較的に大きい磁力線分断運動が発生する。【選択図】図２
0003156278.tif 000002
【実用新案登録請求の範囲】
【請求項１】
中央に心軸が貫設され、また、多数のコイルが設置される固定子と、
固定子の外部に対応して設置され、心軸と可動的に結合され、その周縁に固定子側縁に対応して囲むように磁力遮断板が設置されるケーシングと、
コイルに対応するように、ケーシング内面の両側に設置される多数の磁性体と、
固定子の各コイルと電気的に接続される負荷ユニットとが含有されることを特徴とする発電機構造。
【請求項２】
各コイルは固定子に設置されて、高重合体によって覆われることを特徴とする請求項１に記載の発電機構造。
【請求項３】
上記ケーシングは、少なくとも、両端蓋が備えられ、各磁性体は、それぞれ、各端蓋の内面に設置されることを特徴とする請求項１に記載の発電機構造。
【考案の詳細な説明】
【技術分野】
【０００１】
本考案は、発電機構造に関し、特に、構造が簡単で、回転慣性が大きく、電流量が増大され、無鉄損と機械損とがない発電機に関する。
【背景技術】
【０００２】
一般の、従来の発電機構造は、円筒状で、軸方向に両端に、軸受穴がある固定ケーシングと、軸受穴に枢着されたスピンドルと、ケーシングの内部に枢着されて固定される回転内ケージングと、一組のスピンドルに固定された第一のギヤと、固定ケーシング内壁に枢着された第二のギヤと、スピンドルに組立てられて回転内ケージングの内部の適当な位置に設置される回転子と、回転内ケージング内壁に設置されたコイルリングとが、備えられ、上記固定ケーシングの軸方向の一端にある内壁に、予めに、発電出力セットが設置され、上記スピンドルの一端が、入力端で、上記回転内ケージングの軸方向の両端に、スピンドルが枢着された軸受穴があり、上記回転内ケージングの軸方向の一端に、予めに、環状ホイールが設置され、軸方向のもう一端に、固定ケーシングに設置された発電出力セットと電気的に接触するように、環状の発電出力環座が設置され、上記第二のギヤの両側輪面が、それぞれ、第一のギヤと環状ホイールに噛み合い、スピンドルが回転する時、上記伝導ギヤセットの伝導により、上記回転内ケージングが、逆方向に回転し、上記回転子の外周に、コイルリングに対応する磁石片が設置され、これにより、上記スピンドルが、駆動されて回転する時、上記第一のギヤも、同期に回転し、上記第一のギヤに噛み合う第二のギヤも、逆方向に回転でき、上記第二のギヤから環状ホイールへ伝導されて、回転内ケージングも回転し、そのため、上記回転内ケージングにあるコイルリングが、回転子と、反方向に回転して発電の効果が実現される。
【０００３】
上記の従来の発電機構造は、発電の効果を実現できるが、上記発電機は、ブラッシや心を有する構造であるため、鉄損や機械損が、比較的に大きく、その全体としての構造も、比較的に複雑的になり、そして、スピンドルが、駆動されて回転する時、回転慣性が比較的に大きくならないため、電流量が低下され、また、発電機の電力出力の増大することができないため、一般の従来の発電機構造は、実用的ではない。
【０００４】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００５】
本考案の主な目的は、稼動する時、ケーシングによって各磁性体が連動され、ケーシングにおいて、比較的に大きい回転慣性を発生し、そのため、各磁性体と固定子のコイルとの間において、比較的に大きい磁力線分断運動が発生し、これにより、構造が簡単で、回転慣性が大きく、電流量が増大され、鉄損と無機械とがない発電機を提供する。
【課題を解決するための手段】
【０００６】
本考案は、上記の目的を達成するための発電機構造であり、中央に、心軸が貫設され、多数のコイルが設置された固定子と、固定子の外部に、対応して設置され、心軸と可動的に結合され、その周縁に、固定子側縁に対応して囲むように磁力遮断板が設置されるケーシングと、コイルに対応するように、ケーシング内面の両側に設置される多数の磁性体と、固定子の各コイルと電気的に接続される負荷ユニットと、が含有される。
【０００７】
以下、図面を参照しながら、本考案の特徴や技術内容について、詳しく説明するが、それらの図面等は、参考や説明のためであり、本考案は、それによって制限されることが無い。
【図面の簡単な説明】
【０００８】
【図１】本考案の正面状態概念図
【図２】本考案の断面状態概念図
【図３】本考案の固定子と磁力遮断板及び磁性体の対応状態概念図
【考案を実施するための形態】
【０００９】
図１と図２及び図３は、それぞれ、本考案の正面状態概念図と本考案の断面状態概念図及び本考案の固定子と磁力遮断板及び磁性体の対応状態概念図である。図のように、本考案は、発電機構造であり、少なくとも、固定子１とケーシング２、多数の磁性体３及び負荷ユニット４から構成される。
【００１０】
上記の固定子１は、中央に、心軸１１が貫設され、また、多数のコイル１２が設置され、各コイル１２は、高重合体に覆われて、固定子１に設置される。
【００１１】
上記ケーシング２は、少なくとも、両端蓋２１、２２から構成され、固定子１の外部に対応して設置され、また、中央に、心軸１１と可動的に結合される軸受２３が設けられ、また、周縁に、固定子１側縁に対応して囲むように、磁力遮断板２４が設置される。
【００１２】
各磁性体３は、ケーシング１内面の両側（即ち、各端蓋２１、２２の内面）に、コイル１２に対応して設置され、磁石鋼である。
【００１３】
上記負荷ユニット４は、リード４１で、固定子１の各コイル１２と電気的に接続される。上記の構造により、新規の発電機構造が構成される。
【００１４】
本考案によれば、必要とするパワーにより、上記ケーシング２が転動し、これにより、各磁性体３により、固定子１の各コイル１２に合わせて、磁界において、磁力（感）線分断運動が発生し、そして、誘導起電力が生成され、電流が、リード４１を介して、負荷ユニット４へ転送され、その後、負荷ユニット４の開閉回路により、適当に、変換することにより、必要とする電力が生成され、また、各磁性体３とケーシング１とが、結合されているため、外力により、ケーシング１が回転すると、各磁性体３も、同時に回転し、これにより、ケーシング１において、比較的に大きい回転慣性が発生し、上記ケーシング２が転動する時、同時に、その内面にある各磁性体３が連動され、各磁性体３と固定子１のコイル１２との間において、比較的に大きい磁力線切断運動が発生し、これにより、構造が簡単で、回転慣性が大きく、電流量が増大され、鉄損や機械損がない効果が得られる。
【００１５】
以上のように、本考案に係る発電機構造は、有効に従来の諸欠点を解消でき、稼動する時、ケーシングにより、各磁性体が連動され、ケーシングにおいて、比較的に大きい回転慣性が発生し、各磁性体と固定子のコイルとの間において、比較的に大きい磁力線切断運動が発生し、上記発電機によれば、構造が簡単で、回転慣性が大きく、電流量が増大され、鉄損や機械損がない効果が得られ、そのため、本考案は、より進歩的かつより実用的で、法に従って実用新案登録を出願する。
【００１６】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００１７】
１    固定子
１１  心軸
１２  コイル
２    ケーシング
２１、２２  端蓋
２３  軸受
２４  磁力遮断板
３    磁性体
４    負荷ユニット
４１  リード
【図１】
0003156278.tif 000003
【図２】
0003156278.tif 000004
【図３】
0003156278.tif 000005